(57)【要約】【課題】万華鏡の模様を容易に撮影し保存し加工し印刷することができる万華鏡模様印刷装置を提供する。【解決手段】万華鏡保持手段３０と、万華鏡模様撮影手段４０と、万華鏡模様表示手段６０と、万華鏡模様印刷手段７０とを備え、万華鏡模様撮影手段４０で撮影した万華鏡画像情報を万華鏡模様表示手段６０で表示し、万華鏡模様印刷手段７０に出力する。【選択図】図１
2009128421.tif 000002
【特許請求の範囲】
【請求項１】
万華鏡によって作り出された像を撮影、記録、加工、印刷する万華鏡模様印刷装置であって、
万華鏡保持手段と、万華鏡模様撮影手段と、万華鏡模様記憶手段と、万華鏡模様表示手段と、万華鏡模様印刷手段とを備え、
前記万華鏡保持手段は、前記万華鏡を保持すると共に、該万華鏡の覗き孔を前記万華鏡模様撮影手段に対向させる状態で、該万華鏡模様撮影手段に接続し、
前記万華鏡模様撮影手段は、前記万華鏡保持手段に接続された状態で、前記万華鏡によって作り出された像を前記覗き孔から撮影し、
前記万華鏡模様記憶手段は、前記万華鏡模様撮影手段によって撮影された画像を記憶し、
前記万華鏡模様表示手段は、前記万華鏡模様記憶手段によって記憶された画像を表示し、
前記万華鏡模様印刷手段は、前記万華鏡模様表示手段によって表示された画像を所定の印刷物に印刷することを特徴とする万華鏡模様印刷装置。
【請求項２】
前記万華鏡模様表示手段によって表示された画像を加工する万華鏡模様加工手段を備えることを特徴とする請求項１記載の万華鏡模様印刷装置
【請求項３】
前記万華鏡模様印刷手段は、前記印刷物である写真、壁紙又は布地に印刷するための版を作成することを特徴とする請求項１又は２記載の万華鏡模様印刷装置。
【発明の詳細な説明】
【技術分野】
【０００１】
本発明は、万華鏡によって作り出された像を撮影、記録、加工、印刷する万華鏡画像印刷装置に関する。
【背景技術】
【０００２】
従来、この種の万華鏡の撮影装置としては、例えば、特許文献１に示すようなものがある。すなわち、カメラ本体又はレンズ前方に接続具を介し又は直接に万華鏡を接続することによって万華鏡の模様を撮影可能にするものである。
【０００３】
【特許文献１】実開昭６０−６０７２０号公報
【発明の開示】
【発明が解決しようとする課題】
【０００４】
しかしながら、前述のような従来の技術では、万華鏡の模様を撮影するのみで、万華鏡の模様を保存して加工を施し、嗜好に応じて好みの模様を選択し、印刷するなど、実際に万華鏡の模様を利用するまでには多くの手間がかかった。
【０００５】
また、万華鏡の模様を撮影する際、万華鏡にあらかじめ専用の加工を施した接続具又はカメラ本体に装着可能なものに限られていた。さらに、カメラの撮影範囲と万華鏡の模様の大きさを一致させる必要があり、一致しない場合は写真の外側に万華鏡の模様以外のものが写ることや万華鏡の模様全体を撮影できないことがあった。
【０００６】
本発明は、このような従来の技術が有する問題点に着目してなされたもので、変化する万華鏡の模様を容易に撮影し保存し加工し印刷することができる万華鏡模様印刷装置を提供することを目的としている。  
【課題を解決するための手段】
【０００７】
前述した目的を達成するための本発明の要旨とするところは、次の各項の発明に存する。  
［１］万華鏡（２０）によって作り出された像を撮影、記録、加工、印刷する万華鏡模様印刷装置（１０）であって、
万華鏡保持手段（３０）と、万華鏡模様撮影手段（４０）と、万華鏡模様記憶手段（５０）と、万華鏡模様表示手段（６０）と、万華鏡模様印刷手段（７０）とを備え、
前記万華鏡保持手段（３０）は、前記万華鏡（２０）を保持すると共に、該万華鏡（２０）の覗き孔（２１）を前記万華鏡模様撮影手段（４０）に対向させる状態で、該万華鏡模様撮影手段（４０）に接続し、
前記万華鏡模様撮影手段（４０）は、前記万華鏡保持手段（３０）に接続された状態で、前記万華鏡（２０）によって作り出された像を前記覗き孔（２１）から撮影し、
前記万華鏡模様記憶手段（５０）は、前記万華鏡模様撮影手段（４０）によって撮影された画像を記憶し、
前記万華鏡模様表示手段（６０）は、前記万華鏡模様記憶手段（５０）によって記憶された画像を表示し、
前記万華鏡模様印刷手段（７０）は、前記万華鏡模様表示手段（６０）によって表示された画像を所定の印刷物に印刷することを特徴とする万華鏡模様印刷装置（１０）。
【０００８】
［２］前記万華鏡模様表示手段（６０）によって表示された画像を加工する万華鏡模様加工手段（８０）を備えることを特徴とする［１］記載の万華鏡模様印刷装置（１０）。
【０００９】
［３］前記万華鏡模様印刷手段（７０）は、前記印刷物である写真、壁紙又は布地に印刷するための版を作成することを特徴とする［１］又は［２］記載の万華鏡模様印刷装置（１０）。
【００１０】
前記本発明は次のように作用する。  
前記［１］に記載の万華鏡模様印刷装置（１０）によれば、万華鏡保持手段（３０）は万華鏡（２０）を保持すると共に、万華鏡（２０）の覗き孔（２１）を万華鏡模様撮影手段（４０）に対向させる状態で万華鏡模様撮影手段（４０）に接続する。
【００１１】
より具体的には、例えば筒状に形成した万華鏡保持手段（３０）によって、その一端側を万華鏡（２０）の覗き孔（２１）のある一端部に外嵌させる。そして、万華鏡保持手段（３０）の他端側を万華鏡模様撮影手段（４０）に対して、万華鏡（２０）の覗き孔（２１）から見える万華鏡模様が万華鏡模様撮影手段（４０）の撮影視野範囲に収まるように接続するとよい。ここで万華鏡（２０）は、専用の加工を施すことなく様々なタイプのものを利用できるものとする。
【００１２】
万華鏡模様撮影手段（４０）は万華鏡保持手段（３０）に接続された状態で、前記万華鏡（２０）によって作り出された万華鏡模様を覗き孔（２１）から撮影することができる。また、万華鏡模様記憶手段（５０）は万華鏡模様撮影手段（４０）によって撮影された画像を記憶する。
【００１３】
また、万華鏡模様表示手段（６０）は、万華鏡模様記憶手段（５０）によって記憶された画像を表示することができる。さらに、万華鏡模様印刷手段（７０）は、万華鏡模様表示手段（６０）によって表示された画像を所定の印刷物に印刷することができる。
【００１４】
前記［２］に記載の万華鏡模様印刷装置（１０）によれば、万華鏡模様加工手段（８０）を備えており、万華鏡模様加工手段（８０）は万華鏡模様表示手段（６０）によって表示された画像の一部もしくは全体に加工を施すことができる。
【００１５】
前記［３］に記載の万華鏡模様印刷装置（１０）によれば、写真、壁紙又は布地に印刷するための版を作成するための万華鏡模様印刷手段（７０）を備えており、写真、壁紙、布地に万華鏡模様を印刷することができる。
【発明の効果】
【００１６】
本発明に係る万華鏡模様印刷装置によれば、万華鏡の模様を単に印刷するにとどまらず、保存し、表示し、加工を施し、模様を選択して印刷することができる。また、印刷は通常の紙だけでなく写真や壁紙、布地に印刷するための版を作成することもできる。さらに、万華鏡に専用の加工を施すことなく万華鏡模様撮影手段に接続できるので、極めて簡易に好みに応じて万華鏡模様を撮影し印刷することができる。
【発明を実施するための最良の形態】
【００１７】
以下、図面に基づき本発明の第一の実施の形態を説明する。
図１は、本実施の形態に係る万華鏡模様印刷装置１０の概略構成を示すブロック図である。図２（ａ）は、本実施の形態に係る万華鏡模様印刷装置１０の万華鏡保持手段３０が万華鏡模様撮影手段４０と接続した状態で万華鏡２０を保持している状態を示す側面図であり、同図（ｂ）は、概略的に断面を示す説明図である。図３は、本発明の一実施の形態に係る万華鏡模様印刷装置１０の全体を表す斜視図である。図４、図５、図６は、本万華鏡模様印刷装置１０によって取り込んだ万華鏡模様の一例を表す図である。本発明の第二の実施の形態に係る万華鏡模様印刷装置１０の概略構成を示すブロック図である。
【００１８】
図１に示すように、万華鏡模様印刷装置１０は、万華鏡保持手段３０と、万華鏡模様撮影手段４０と、万華鏡模様記憶手段５０と、万華鏡模様表示手段６０と、万華鏡模様印刷手段７０と万華鏡模様加工手段８０とを有する。また、以上に加えて全体の制御を司るものとして制御手段４５、使用者の操作する手段として操作手段４７を有する。
【００１９】
図２に示すように、万華鏡保持手段３０は筒形に形成し、軸方向の一端の内周側に万華鏡保持部３１、他端に保持手段接続部３２を有する。  
万華鏡保持部３１は、その内周面を摩擦力を要する素材又は形状で形成し、万華鏡２０の覗き孔２１を有する一端部側の外周面である万華鏡被保持部２２に外嵌し保持する。万華鏡保持手段３０又は万華鏡保持部３１は、万華鏡２０を保持できる範囲内で保持手段接続部側の内径より万華鏡保持部側の内径を大きく形成しても良い。
【００２０】
保持手段接続部３２は、万華鏡模様撮影手段４０と万華鏡保持手段３０を接続する部位であって、万華鏡模様撮影手段４０の撮影レンズの外周に形成した撮影手段接続部４１に接続する。本実施の形態においては、撮影手段接続部４１に保持手段接続部３２が外嵌することによって接続するほか、その方法はねじ止めするなどその他の固着手段を用いても良い。
【００２１】
万華鏡模様印刷装置１０の制御手段４５は、万華鏡模様撮影手段４０、万華鏡模様記憶手段５０、万華鏡模様表示手段６０、万華鏡模様印刷手段７０、操作手段４７、万華鏡模様加工手段８０等を集中管理するものであり、中央演算装置、インターフェース、ＲＡＭ、ＲＯＭ、ハードディスク等から構成されたコンピュータから成る。
【００２２】
万華鏡模様撮影手段４０は、前述のように撮影手段接続部４１を以って万華鏡保持手段３０と接続するほか、配線によって制御手段４５のインターフェースと接続し、万華鏡模様をデジタル情報化して万華鏡画像情報として、制御手段４５を介し万華鏡模様記憶手段５０に送信するものである。具体的にはＵＳＢ（Ｕｎｉｖｅｒｓａｌ  Ｓｅｒｉａｌ  Ｂｕｓ）等によってコンピュータと接続できる撮影カメラによって構成する。
【００２３】
万華鏡模様記憶手段５０は、制御手段４５を構成するＲＡＭの他、外部記憶装置であるハードディスク等によって構成しても良い。
【００２４】
万華鏡模様表示手段６０は、制御手段４５のインターフェースと配線によって接続し、万華鏡画像情報に基づき万華鏡模様を表示するものである。図３に示すように通常のＣＲＴ若しくは液晶を利用した表示装置によって構成する。
【００２５】
万華鏡模様印刷手段７０は、制御手段４５のインターフェースと配線によって接続し、万華鏡画像情報４２に基づき万華鏡模様を印刷するものである。一般的なプリンターを利用すればよく、その構成は一般的であるので詳細な説明は省略する。
【００２６】
操作手段４７は、前述の制御手段４５のインターフェースと配線によって接続し、本万華鏡模様印刷装置１０の使用者の操作手段として利用する。通常のキーボード、マウス等によって構成する。  
【００２７】
万華鏡模様加工手段８０は、通常のソフトウェアであって、制御手段のハードディスク等に記憶されているものであり、万華鏡画像情報に対し拡大、縮小、色彩、明るさ等の変更、万華鏡画像情報の一部を切り出すなどの加工を施すものである。
【００２８】
次に実際に万華鏡２０の設置、撮影、保存、加工等の工程を順を追って本実施の形態の作用を説明する。  
本発明においては万華鏡を要するが、その万華鏡の模様の元となる像は万華鏡内に入れた物質を利用したタイプのもの、外の景色を利用したもの、プリズム等を利用したもの等様々あるがそのどれでもよい。
【００２９】
先ず、万華鏡２０を、覗き孔２１を万華鏡模様撮影手段４０に対向させる状態で万華鏡保持手段３０の万華鏡模様撮影手段４０と反対側の開口部に万華鏡２０を保持可能な状態かつ万華鏡模様撮影手段４０の撮影視野範囲に万華鏡模様が収まるまで挿し入れる。
【００３０】
万華鏡模様撮影手段４０は、万華鏡模様をデジタル情報化し万華鏡画像情報として制御手段４５を介して万華鏡模様記憶手段５０に逐次送信される。万華鏡模様記憶手段５０に送られた万華鏡画像情報は万華鏡模様表示手段６０により逐次表示される。
【００３１】
撮影者は万華鏡２０を回転させたり、万華鏡２０、万華鏡保持手段３０と万華鏡模様撮影手段４０を含む撮影カメラを共に方向を変えるなどして、好みの万華鏡模様を探し、操作手段４７を通して万華鏡画像情報４２を保存する旨の命令を送り、万華鏡模様は万華鏡画像情報として万華鏡模様記憶手段５０に保存される。
【００３２】
また、必要に応じて万華鏡模様加工手段８０を利用して万華鏡画像情報に対して拡大、縮小、色彩、明るさ等の変更、一部を切り出すなどの加工が施される。  
印刷する万華鏡画像情報が得られた段階で、操作手段４７を通して万華鏡画像情報を印刷する旨の命令を万華鏡模様印刷手段７０に万華鏡画像情報と共に送り、所定の印刷物や写真、壁紙又は布地等に印刷するための版に万華鏡模様を印刷する。
【００３３】
また、万華鏡画像情報をリスト表示するなどして比較し、その一部または全体を選択的に印刷できるようにしても良い。さらに、切り出し範囲は万華鏡毎に共通する場合が多いから、あらかじめ切り出し範囲を設定し、以後自動的にその範囲を表示、印刷するなどしても良い。
【００３４】
次に、第二の実施の形態について説明する。
図７は、本発明の第二の実施の形態に係る万華鏡模様印刷装置１０の概略構成を示すブロック図である。なお、第一実施の形態と同種の部位については同一符号を付し、重複した説明は省略する。
【００３５】
図７に示すように、万華鏡模様印刷装置１０は万華鏡保持手段３０と、万華鏡模様撮影手段４０と、万華鏡模様第一記憶手段５０ａと、万華鏡模様第一表示手段６０ａと、万華鏡模様第二記憶手段５０ｂと、万華鏡模様表示手段６０ｂと、万華鏡模様印刷手段７０と、万華鏡模様加工手段８０とを有する。
【００３６】
また、以上の構成に加えて万華鏡模様を撮影する際の制御を司るものとして第一制御手段４５ａと操作を司るものとして第一操作手段４７ａ、万華鏡画像情報を加工、印刷する際の制御を司るものとして第二制御手段４５ｂと操作を司るものとして第二操作手段４７ｂを有する。
【００３７】
万華鏡保持手段３０は第一の実施の形態と同様なので説明を省略する。  
第一制御手段４５ａは、万華鏡模様撮影手段４０、万華鏡模様第一記憶手段５０ａ、万華鏡模様第一表示手段６０ａ、第一操作手段４７ａ等を集中管理するものであり、中央演算装置、インターフェース、ＲＡＭ、ＲＯＭ、その他記憶装置等から構成されたデジタルカメラから成る。また、本第一制御手段４５ａはＵＳＢ（Ｕｎｉｖｅｒｓａｌ  Ｓｅｒｉａｌ  Ｂｕｓ）等によってインターフェースを介して、後述の第二制御手段４５ｂと接続できるものとする。
【００３８】
万華鏡模様撮影手段４０は、前述のように撮影手段接続部４１を以って万華鏡保持手段３０と接続する他配線によって第一制御手段４５ａのインターフェースと接続し、万華鏡模様をデジタル情報化して万華鏡画像情報として第一制御手段４５ａを介し万華鏡模様第一記憶手段５０ａに送信するものである。具体的にはデジタルカメラの撮影装置によって構成する。万華鏡模様第一記憶手段５０ａは、第一制御手段４５ａを構成するＲＡＭの他、その他の記憶装置によって構成しても良い。
【００３９】
万華鏡模様第一表示手段６０ａは、第一制御手段４５ａのインターフェースと配線によって接続し、万華鏡画像情報に基づき万華鏡模様を表示するものである。通常デジタルカメラの液晶、有機ＥＬ等の表示装置によって構成される。
【００４０】
第二制御手段４７ｂは、万華鏡模様第二記憶手段５０ｂ、万華鏡模様第二表示手段６０ｂ、万華鏡模様印刷手段７０、第二操作手段４７ｂ等を集中管理するものであり、中央演算装置、インターフェース、ＲＡＭ、ＲＯＭ、ハードディスク等から構成されたコンピュータから成る。また、本第二制御手段４５ｂは第一制御手段４５ａとＵＳＢ（Ｕｎｉｖｅｒｓａｌ  Ｓｅｒｉａｌ  Ｂｕｓ）等によってインターフェースを介して接続できるものとするが、常に繋がっている必要は無い。
【００４１】
第二操作手段４７ｂは、前述の第二制御手段４５ｂのインターフェースと配線によって接続し、本万華鏡模様印刷装置１０の使用者の操作手段として利用する。通常のキーボード、マウス等によって構成する。  
万華鏡模様第二記憶手段５０ｂは、第二制御手段４５ｂを構成するＲＡＭの他、外部記憶装置であるハードディスク等によって構成しても良い。
【００４２】
万華鏡模様第二表示手段６０ｂは、第二制御手段４５ｂのインターフェースと配線によって接続し、万華鏡画像情報４２に基づき万華鏡模様を表示するものである。図３に示すように通常のＣＲＴ若しくは液晶を利用した表示装置によって構成する。  
万華鏡模様印刷手段７０、万華鏡模様加工手段８０は第一の実施の形態と同様なので説明を省略する。
【００４３】
次に第二の実施の形態における万華鏡の設置、撮影、保存、加工等の工程を、順を追って作用を説明する。  
万華鏡２０を、第一の実施の形態と同様に覗き孔２１を万華鏡模様撮影手段４０に対向させる状態で万華鏡保持手段３０の万華鏡模様撮影手段４０と反対側の開口部に保持可能な状態かつ万華鏡模様撮影手段４０の撮影視野範囲に万華鏡模様が収まるまで挿し入れる。
【００４４】
万華鏡模様撮影手段４０は万華鏡模様をデジタル情報化し万華鏡画像情報として第二制御手段４５ａを介して万華鏡模様第一記憶手段５０ａに逐次送信される。万華鏡模様第一記憶手段５０ａに送られた万華鏡画像情報は万華鏡模様第一表示手段６０ａにより逐次表示される。
【００４５】
撮影者は万華鏡２０を回転させたり、万華鏡２０、万華鏡保持手段３０と万華鏡模様撮影手段４０を含むデジタルカメラを共に方向を変えるなどして好みの万華鏡模様を探し、第一操作手段４７ａを通して万華鏡画像情報を保存する旨の命令を送り、万華鏡模様は万華鏡画像情報として万華鏡模様第一記憶手段５０ａに保存される。この際第一制御手段４５ａと第二制御手段４５ｂは接続している必要は無いので、撮影場所を自在に移動することが可能となる。
【００４６】
印刷する万華鏡画像情報が得られた段階で、第一制御手段４５ａと第二制御手段４５ｂを接続し、万華鏡画像情報を万華鏡模様第一記憶手段５０ａから万華鏡模様第二記憶手段５０ｂにコピーする。  ここで、必要に応じて万華鏡模様加工手段８０を利用して万華鏡画像情報に対して拡大、縮小、色彩、明るさ等の変更、一部を切り出すなどの加工を施される。
【００４７】
第一の実施の形態と同様に万華鏡画像情報を印刷する旨の命令を万華鏡模様印刷手段７０に万華鏡画像情報と共に送り、所定の印刷物７１や写真、壁紙又は布地等に印刷するための版に万華鏡模様を印刷する。
【００４８】
また、万華鏡画像情報４２をリスト表示するなどして比較し、その一部または全体を選択的に印刷できるようにしても良い。さらに、切り出し範囲は万華鏡毎に共通する場合が多いから、あらかじめ切り出し範囲を設定し、以後自動的にその範囲を表示、印刷するなどしても良い。
【００４９】
以上、本発明の実施の形態を図面によって説明してきたが、具体的な構成は前述した実施の形態に限られるものではなく、本発明の要旨を逸脱しない範囲における変更や追加があっても本発明に含まれる。例えば、万華鏡保持部３１と保持手段接続部３２は弾性変形可能な材質で形成しても良い。これにより、様々な外径の万華鏡２０や万華鏡模様撮影手段４０の撮影レンズの外周に対応させることができる。
【００５０】
また、第二の実施の形態において加工は万華鏡模様第一記憶手段５０ａから万華鏡画像第二記憶手段５０ｂにコピーした後行うこととしたが、コピーはせずに万華鏡模様記憶手段５０ａを第二制御手段４５ｂの外部記憶装置として認識し、加工を施すこととしても良い。
【図面の簡単な説明】
【００５１】
【図１】本発明の第一の実施の形態に係る万華鏡模様印刷装置の概略構成を示すブロック図である。
【図２】本発明の第一の実施の形態に係る万華鏡模様印刷装置の万華鏡保持手段を示す説明図である。
【図３】本発明の第一の実施の形態に係る万華鏡模様印刷装置の全体斜視図である。
【図４】本発明の第一の実施の形態に係る万華鏡模様印刷装置によって取り込んだ万華鏡の模様を表す図である。
【図５】本発明の第一の実施の形態に係る万華鏡模様印刷装置によって取り込んだ万華鏡の模様を表す図である。
【図６】本発明の第一の実施の形態に係る万華鏡模様印刷装置によって取り込んだ万華鏡の模様を表す図である。
【図７】本発明の第二の実施の形態に係る万華鏡模様印刷装置の概略構成を示すブロック図である。
【符号の説明】
【００５２】
１０…万華鏡模様印刷装置
２０…万華鏡
２１…覗き孔
２２…万華鏡被保持部
３０…万華鏡保持手段
３１…万華鏡保持部
３２…保持手段接続部
４０…万華鏡模様撮影手段
４１…撮影手段接続部
４５…制御手段
４５ａ…第一制御手段
４５ｂ…第二制御手段
４７…操作手段
４７ａ…第一操作手段
４７ｂ…第二操作手段
５０…万華鏡模様記憶手段
５０ａ…万華鏡模様第一記憶手段
５０ｂ…万華鏡模様第二記憶手段
６０…万華鏡模様表示手段
６０ａ…万華鏡模様第一表示手段
６０ｂ…万華鏡模様第二表示手段
７０…万華鏡模様印刷手段
８０…万華鏡模様加工手段
【図１】
2009128421.tif 000003
【図２】
2009128421.tif 000004
【図３】
2009128421.tif 000005
【図４】
2009128421.tif 000006
【図５】
2009128421.tif 000007
【図６】
2009128421.tif 000008
【図７】
2009128421.tif 000009